(57)【要約】      （修正有）【課題】各所において使用されるヘルメットであり、特に冷却性に優れる冷却式ヘルメットを提供する。【解決手段】冷却式ヘルメット１００は人間の頭部１１に被着されるものからなり、被包体１とこの内部に配置される略柔軟部材２からなる。被包体１には冷却式ヘルメット１００を頭部１１に絞着する図略の紐等が設けられていると共に鍔１２が設けられている。また、この冷却式ヘルメット１００では被包体１の内面と略柔軟部材２との間には空隙３が設けられている。被包体１としては略硬式のものからなるが、放熱材や遮断材や断熱材等が採用され、例えば、太陽光を反射又は断熱して内部に熱が伝導することを防止する。【選択図】図１
0003156617.tif 000002
【実用新案登録請求の範囲】
【請求項１】
頭部に被着される冷却式ヘルメットであって、該ヘルメットは放熱材又は遮断材又は断熱材から形成されるか又はこれ等を表面側に配設してなる略硬式の被包体と、該被包体の内部に配置され頭部に当接する略柔軟部材とからなることを特徴とする冷却式ヘルメット。  
【請求項２】
前記被包体と前記略柔軟体との間には空隙が設けられることを特徴とする請求項１に記載の冷却式ヘルメット。
【請求項３】
前記空隙内にはファンが配置されることを特徴とする請求項２に記載の冷却ヘルメット。  
【請求項４】
前記ファンの電源が、電池又は前記被包体の外面に配置される太陽電池であることを特徴とする請求項３に記載の冷却式ヘルメット。
【請求項５】
冷却式ヘルメットが遮熱材又は該遮熱材からなる塗料を表面に塗布した略硬式の被包体と、この内面に接触して配設される断熱材とからなることを特徴とする冷却式ヘルメット。
【考案の詳細な説明】
【技術分野】
【０００１】
本考案は、頭部を冷却する機能を有するヘルメットに係り、工場，工事現場，交通整理現場や車運転時等において使用される冷却式ヘルメットに関する。
【背景技術】
【０００２】
危険な場所においては人体の主に頭部を保護するためにヘルメットが使用され、義務づけされている場合も多い。このヘルメットとしては各種のものがあり、数多くの公知技術が開示されているがその一例として「特許文献１」が挙げられる。
【先行技術文献】
【特許文献】
【０００３】
【特許文献１】登録実用新案第３１２５０７７号（図１）
【考案の概要】
【考案が解決しようとする課題】
【０００４】
「特許文献１」の「登録実用新案第３１２５０７７号」の「遮熱性及び放熱性に優れた帽子」はセラミックス等を用いた比較的特殊の形態のヘルメットからなるが、このヘルメットは安全性や遮熱性を有するものではあるが、冷却性を目的とするものではない。また、その他のヘルメットや通常我々が目にするヘルメットとしては冷却性に主体を置くものはなく、現場作業員としては特に夏季においては太陽熱により頭部がかなり加熱され、とても苦しい状態で作業を続けているのが一般である。
【０００５】
本考案は以上の事情に鑑みて考案されたものであり、頭部を安全保護することは勿論であるが、頭部を冷却し、比較的快適に作業を続行できる冷却式ヘルメットを提供することを目的とする。
【課題を解決するための手段】
【０００６】
本考案は、以上の目的を達成するために、請求項１の考案は、頭部に被着される冷却式ヘルメットであって、該ヘルメットは放熱材又は遮断材又は断熱材から形成されるか又はこれ等を表面側に配設してなる略硬式の被包体と、該被包体の内部に配置され頭部に当接する略柔軟部材とからなることを特徴とする。
【０００７】
また、請求項２の考案は、前記被包体と前記略柔軟体との間には空隙が設けられることを特徴とする。
【０００８】
また、請求項３の考案は、前記空隙内にはファンが配置されることを特徴とする。
【０００９】
また、請求項４の考案は、前記ファンの電源が、電池又は前記被包体の外面に配置される太陽電池であることを特徴とする。
【００１０】
また、請求項５の考案は、冷却式ヘルメットが遮熱材又は該遮熱材からなる塗料を表面に塗布した略硬式の被包体と、この内面に接触して配設される断熱材とからなることを特徴とする。
【考案の効果】
【００１１】
本考案の請求項１の冷却式ヘルメットによれば、冷却式ヘルメットは遮熱材等の材料やこのものを表面に配設した略硬式の被包体から形成されるため、太陽等の熱の頭部側への伝達を防止することができ、従来のヘルメットに較べて頭部の加熱を大巾に低下させることができる。また、被包体の内部に略柔軟体の部材を配設するため頭部の安全性が確保され、装着性の向上も図れる。
【００１２】
また、請求項２の冷却式ヘルメットによれば、被包体と略柔軟体との間に空隙が設けられているため被包体側からの頭部への熱伝導を低減でき、冷却性の向上を図ることができる。
【００１３】
また、請求項３の冷却式ヘルメットによれば、前記の空隙内にファンが設けられるため空隙内での熱気が排出され、冷却性の一層の向上が図られる。
【００１４】
また、請求項４の冷却式ヘルメットによれば、ファンの電源として電池や太陽電池が用いられ、固定的の電源からの電力の供給が不要であり携帯性の向上が図られる。
【００１５】
また、請求項５の冷却式ヘルメットによれば、遮熱材等からなる被包体の内部に断熱材を当接して配置するものからなり、特に車の運転時におけるヘルメットとして使用され、この場合における冷却性の向上を図ることができる。
【図面の簡単な説明】
【００１６】
【図１】本考案における冷却式ヘルメットの一例を示す断面図。
【図２】図１及び図３における被包体の別の構造を示す部分断面図。
【図３】空隙にファンを配置した冷却式ヘルメットの構造の一例を示す断面図。
【図４】車の運転時等において使用されるヘルメットの一例を示す断面図。
【考案を実施するための形態】
【００１７】
以下、本考案の冷却式ヘルメットの実施の形態を図面を参照して詳述する。
【実施例１】
【００１８】
冷却式ヘルメット１００は人間の頭部１１に被着されるものからなり、図１に示すように被包体１とこの内部に配置される略柔軟部材２からなる。被包体１には冷却式ヘルメット１００を頭部１１に絞着する図略の紐等が設けられていると共に鍔１２が設けられているがこれ等は一般的のものでありその説明を省略する。また、この冷却式ヘルメット１００では被包体１の内面と略柔軟部材２との間には空隙３が設けられている。
【００１９】
被包体１としては略硬式のものからなるが、放熱材や遮断材や断熱材等が採用され、例えば、太陽光を反射又は断熱して内部に熱が伝導することを防止している。
【００２０】
また、図２に示すように被包体１としては前記のような放熱材等で形成されるものではなく、プラスチック体の表面に放熱性や断熱性や断熱性の塗膜４を設けるものでもよい。
【実施例２】
【００２１】
図３は本考案の冷却式ヘルメットの別の実施例を示すものである。図示のように被包体１と略柔軟部材２との間の空隙３内にはファン５が設けられている。このファン５の電源としては電池６や被包体１の表面に配置される太陽電池７やこれ等と連結するモータ８が設けられておりモータ８と電池６や太陽電池７との間にはコントローラ９が配置されている。
以上の構造により、空隙３内の熱気の排出がより積極的に行われ、冷却性の一層の向上を図ることができる。
【実施例３】
【００２２】
図４は主として車の運転時等において使用される冷却式ヘルメット１００Ａを示す。このものは断熱材で形成されるが又は断熱性の塗膜を表面に設ける被包体１Ａと、この内面に接触して配設される断熱材１０等とから構成される。この構造により冷却性の向上を保持することができる。
【００２３】
本考案は、以上の説明のものからなるがその内容としては以上の説明に限定するものでなく、同一技術的範疇のものが適用されることは勿論である。
【産業上の利用可能性】
【００２４】
本考案の冷却式ヘルメットとしては各種の場所において使用されているヘルメットの略すべてに適用され、そのヘルメットの形態も各種のものに適用可能であり、その利用範囲は極めて広い。
【符号の説明】
【００２５】
１    被包体
１Ａ  被包体
２    略柔軟部材
３    空隙
４    塗膜
５    ファン
６    電池
７    太陽電池
８    モータ
９    コントローラ
１０  断熱材
１１  頭部
１２  鍔
【図１】
0003156617.tif 000003
【図２】
0003156617.tif 000004
【図３】
0003156617.tif 000005
【図４】
0003156617.tif 000006
【手続補正書】
【提出日】平成21年10月28日(2009.10.28)
【手続補正１】
【補正対象書類名】実用新案登録請求の範囲
【補正対象項目名】請求項２
【補正方法】変更
【補正の内容】
【請求項２】
前記被包体と前記略柔軟部材との間には空隙が設けられることを特徴とする請求項１に記載の冷却式ヘルメット。
【手続補正２】
【補正対象書類名】明細書
【補正対象項目名】０００７
【補正方法】変更
【補正の内容】
【０００７】
また、請求項２の考案は、前記被包体と前記略柔軟部材との間には空隙が設けられることを特徴とする。
【手続補正３】
【補正対象書類名】明細書
【補正対象項目名】００１１
【補正方法】変更
【補正の内容】
【００１１】
本考案の請求項１の冷却式ヘルメットによれば、冷却式ヘルメットは遮熱材等の材料やこのものを表面に配設した略硬式の被包体から形成されるため、太陽等の熱の頭部側への伝達を防止することができ、従来のヘルメットに較べて頭部の加熱を大巾に低下させることができる。また、被包体の内部に略柔軟部材を配設するため頭部の安全性が確保され、装着性の向上も図れる。
【手続補正４】
【補正対象書類名】明細書
【補正対象項目名】００１２
【補正方法】変更
【補正の内容】
【００１２】
また、請求項２の冷却式ヘルメットによれば、被包体と略柔軟部材との間に空隙が設けられているため被包体側からの頭部への熱伝導を低減でき、冷却性の向上を図ることができる。